(57)【要約】【課題】火傷を防止することができる台座、台座などに用いられる接着材料、接着材料を用いた接着物品、及び接着材料の製造方法を提供する。【解決手段】台座灸１０は、もぐさＭを支持する支持筒１１と、支持筒１１の開口側に設けられた環状の台座１２と、台座１２の裏側に設けられた接着層１３と、接着層１３をカバーする台座シート１４と、を備える。ここで、支持筒１１の中空部１１Ｘと環状の孔１２Ｘとは連通している。灸座２０は、同じ大きさの円板状に形成されるものである。灸座２０は、オウバクエキスからなる。オウバクエキスは、キハダの樹皮を乾燥させたものである。【選択図】図２
2020163064.tif 000002
【特許請求の範囲】
【請求項１】
接着性を有するお灸用台座であって、
台座本体は、
板状に形成されるものであり、
お灸が配置される側とは反対側に位置し人肌に接する接触面と、を備え、
前記台座本体はオウバクエキスから形成され、
前記接着性は前記オウバクエキスからなることを特徴とするお灸用台座。
【請求項２】
オウバクエキスからなる接着材料。
【請求項３】
オウバクエキスと水とを含む接着材料。
【請求項４】
基材と、
基材に設けられた接着材料と、を備え、
前記接着材料は、オウバクエキスを含むことを特徴とする接着性物品。
【請求項５】
オウバクエキスからなる物体を４０℃以上６０℃以下まで温める加熱ステップを備えたことを特徴とする接着性物品の製造方法。
【請求項６】
オウバクエキスからなる物体を湿らせる加湿ステップを備えたことを特徴とする接着性物品の製造方法。
【発明の詳細な説明】
【技術分野】
【０００１】
本発明は、お灸用台座、接着材料、接着性物品、及び接着性物品の製造方法に関する。
【背景技術】
【０００２】
古来より、灸という治療方法が存在している。灸とは、経穴（つぼ）と呼ばれる体の特定部位に対して温熱刺激を与え血行を促進し、病気や肩こり、腰痛などを軽減する治療方法である。灸には、皮膚の上に直接熱源を据えて灸痕を残す有痕灸と、熱源と皮膚との間に緩衝物を挿入するなどして灸痕を残さない無痕灸とがあり、現在では、無痕灸が最も普及している。無痕灸の種類としては、例えば知熱灸、隔物灸、台座灸などが存在する。これらの灸は、灸の形状や種類、手法などがそれぞれに異なっている。
【０００３】
これらの無痕灸のうち、知熱灸と灸頭鍼とは、用いられる器具や手法が特殊であるため、専門の知識を持つ訓練された施術師によってのみ行われている。これに対し隔物灸、台座灸は比較的簡単であり、訓練を積んでいない一般の人でも家庭内において気軽に私的利用することが可能である。特に、台座灸は、日本全国において広く普及しており、誰もが購入して気軽に使用することができる（例えば、特許文献１）。
【先行技術文献】
【特許文献】
【０００４】
【特許文献１】特開平３−１４６０６２号公報
【発明の概要】
【発明が解決しようとする課題】
【０００５】
ところが、市販されている台座灸は、図６に示すように、もぐさＭを支持する支持筒Ｔと、支持筒Ｔの開口側に設けられた環状の台座Ｄと、台座Ｄの裏側に設けられた接着層Ｎと、接着層Ｎをカバーする台座シートＳと、を備える。このような市販されている台座灸をそのまま使用した場合、熱源と皮膚との間隔は、台座Ｄの高さによって決まってしまうため、熱源との間隔が近すぎ、火傷になる可能性がある。
【０００６】
そこで、発明者が鋭意検討したところ、火傷を防止することができるお灸用台座、お灸用台座の材料となる接着材料、接着性物品、及び接着性物品の製造方法を見出した。
【０００７】
本発明は、斯かる実情に鑑み、火傷を防止することができる台座、台座の材料となる接着材料、接着性物品、及び接着性物品の製造方法を提供しようとするものである。
【課題を解決するための手段】
【０００８】
本発明は、接着性を有するお灸用台座であって、台座本体は、板状に形成されるものであり、お灸が配置される側とは反対側に位置し人肌に接する接触面と、を備え、前記台座本体はオウバクエキスから形成され、前記接着性は前記オウバクエキスからなることを特徴とする。
【０００９】
本発明は、オウバクエキスからなる接着材料である。また、本発明は、オウバクエキスと水とを含む接着材料である。
【００１０】
本発明は、基材と、基材に設けられた接着材料と、を備え、前記接着材料は、オウバクエキスを含むことを特徴とする接着性物品である。
【００１１】
本発明は、オウバクエキスからなる物体を４０℃以上６０℃以下まで温める加熱ステップを備えたことを特徴とする接着性物品の製造方法である。
【００１２】
本発明は、オウバクエキスからなる物体を湿らせる加湿ステップを備えたことを特徴とする接着性物品の製造方法である。
【発明の効果】
【００１３】
本発明によれば、火傷を防止することができるお灸用台座、お灸用台座などに用いられる接着材料、接着材料を用いた接着物品、及び接着材料の製造方法を提供することができる。
【図面の簡単な説明】
【００１４】
【図１】お灸セットの概要を表す分解斜視図である。
【図２】お灸セットの概要を表す断面図である。
【図３】（Ａ）は、灸座の概要を表す平面図である。（Ｂ）は、灸座の概要を表すＩＩＩｂ−ＩＩＩｂ’線断面図である。
【図４】お灸セットの概要を表す断面図である。
【図５】（Ａ）は、お灸セットの概要を表す平面図である。（Ｂ）は、お灸セットの概要を表すＶｂ−Ｖｂ’線断面図である。
【図６】（Ａ）は、従来のお灸セットの概要を表す斜視図である。（Ｂ）は、従来のお灸セットの概要を表す断面図である。
【発明を実施するための形態】
【００１５】
図１〜２に示すように、お灸セット２は、台座灸１０と、台座灸１０を支持する灸座２０と、を備える。
【００１６】
台座灸１０は、もぐさＭを支持する支持筒１１と、支持筒１１の開口側に設けられた環状の台座１２と、台座１２の裏側に設けられた接着層１３と、接着層１３をカバーする台座シート１４と、を備える。ここで、支持筒１１の中空部１１Ｘと環状の孔１２Ｘとは連通している。
【００１７】
灸座２０は、同じ大きさの円板状に形成されるものである。灸座２０は、オウバクエキスからなる。オウバクエキスは、キハダの樹皮を乾燥させたものである。灸座２０の高さは、用途に応じて自由に設定すればよいが、例えば、１ｍｍ以上４ｍｍ以下である。
【００１８】
また、灸座２０の大きさも、用途に応じて自由に設定すればよい。なお、灸座２０の上に台座灸１０を載置した状態（図２）において、灸座２０の輪郭の一部または全部が、台座１２の輪郭よりも突出していることが好ましい。これにより、突出部分に指をかけることで、お灸セット２全体を取り外しやすくなる。
【００１９】
灸座２０は、市販されているオウバクエキスから製造可能である。灸座２０の材料は、１００％オウバクエキスであることが好ましいが、必要に応じて、少々の添加剤を入れてもよい。
【００２０】
灸座２０の作り方について説明する。
【００２１】
市販されているオウバクエキスとして、例えば、長野県製薬株式会社の御嶽百草や、日野製薬株式会社の日野百草等がある。これらは、板状で販売されていることが多い。そこで、灸座にふさわしい形状に成形する必要がある。
【００２２】
まず、板状のオウバクエキスを、加熱装置で温める。加熱装置としては、電子レンジやヒータ等、オウバクエキスの温度を上昇させるものであればよい。この加熱操作は、オウバクエキスの温度が４０℃以上６０℃以下になるようにする。当該温度範囲において、オウバクエキスは変形しやすくなるため、所期の形状の灸座２０をつくることができる。また、冷えた後には、堅くなるが、再び、加熱操作を行うことにより、変形しやすくなる。
【００２３】
灸座２０の使用方法について説明する。
【００２４】
そして、所期の形状の灸座２０に対し、加熱操作を行う。この加熱操作は、オウバクエキスの温度が４０℃以上６０℃以下になるようにする。当該温度範囲において、オウバクエキスに接着性が生じる。また、冷えた後には、接着性が消失するが、再び、加熱操作を行うことにより、接着性が再び現れる。なお、加熱操作によりオウバクエキスの温度を６０℃よりも高くすると、温度変化による接着性は再現しない。
【００２５】
次に、お灸を行いたい部位に、灸座２０を貼り付ける。次に、灸座２０の上に台座灸１０を載置する。このとき灸座２０は、温まっているため、部位及び台座灸１０に対して接着性を有する。このため、台座灸１０は、体の部位から落下しない。その後、市販されている台座灸１０にセットされたもぐさＭに火をつける。
【００２６】
もぐさからの熱により、台座灸１０本来の効能が得られる。また、台座灸１０と人肌の間に灸座２０が存在するため、人肌に伝わる温度が緩和される結果、火傷が起こりにくくなる。さらに、灸座２０もまた、もぐさからの熱を受けるため、接着性は維持される。加えて、灸座２０をなす材料がオウバクエキスであるため、オウバクエキスが直接人肌に触れる。結果、オウバクエキス特有の幹部を温める薬効（抗菌作用、解毒作用、抗炎症作用、鎮痙作用等）を得ることができる。
【００２７】
灸を終える場合には、台座灸１０及び灸座２０を取り外す、または台座灸１０を取り外せばよい。オウバクエキスの接着性は適度な強さのため、素肌への痛みを与えずに剥がすことができる。なお、取り外す前に、もぐさの火を消してもよい。灸座２０の温度が低下すれば、接着性が失われるため、素肌への痛みをほとんど与えることなく取り外すことができる。
【００２８】
上記実施形態では、オウバクエキスからなる灸座２０を用いるため、灸座２０の加熱により、所期の形状の灸座２０を得ることができる。したがって、使用者の要求に応じた高さに成形することができる。
【００２９】
上記実施形態では、円板状の灸座２０を用いたが、その他の板状に形成してもよいし、台座灸１０が載置される載置面２１に所定形状の突起２２Ｔを設けてもよい（図３）。なお、突起は、載置面２１及び素肌と接触する接触面２２の一方又は両方に設けてもよい。同様に、突起に代えて、溝を載置面２１及び素肌と接触する接触面２２の一方又は両方に設けてもよい。
【００３０】
上記実施形態では、灸座２０の上に台座灸１０を載置したが、本発明はこれに限られず、灸座２０を台座灸１０に組み込んでもよい。
【００３１】
かかる場合の台座灸１０は、図４に示すように、もぐさＭを支持する支持筒１１と、支持筒１１の開口側に設けられた環状の灸座２０とを備える。灸座２０の中空部２０Ｘと支持筒１１の中空部１１Ｘは連通する。灸座２０は、オウバクエキスからなるため、灸座２０の加熱により接着性を生じる。よって、図１〜２に示す台座灸１０に比べ、接着層１３と台座シート１４とを省略できる。
【００３２】
また、灸座２０は、オウバクエキスからなるため、灸座２０の加熱により、接着性を生じるとともに、柔らかくなる。このため、図５に示すように、支持筒１１の開口端を灸座２０に埋め込んだまま保持することも可能である。
【００３３】
上記実施形態では、オウバクエキスからなる灸座２０の加熱により、灸座２０に接着性を生じさせたが、本発明はこれに限られず、オウバクエキスからなる灸座２０の表面を湿らせる加湿操作により、灸座２０に接着性を生じさせてもよい。この場合、灸座をウェットティッシュで軽くなでる程度で接着性が生じる。また、乾いた後には、接着性が消失するが、再び、加湿操作を行うことにより、接着性が再び現れる。
【００３４】
上記実施形態では、次に、オウバクエキスからなる灸座２０の加熱や加湿により、灸座２０に接着性を生じさせたが、本発明はこれに限られない。オウバクエキスに所定の水を混ぜることによって、接着剤を得ることができる。
【００３５】
オウバクエキスを含む接着剤は、オウバクエキスと、水とを含むことが好ましい。接着剤におけるオウバクエキスの濃度は、１５重量％以上６０重量％以下であることが好ましい。
【００３６】
オウバクエキスを含む接着剤は、文房具用のりや、つけまつ毛用のり等に利用できる。文房具用のりとして利用できる対象は、紙、木、布、ガラス等がある。
【００３７】
オウバクエキスを含む接着剤を含む接着層を基材に塗布することで、接着テープをつくることができる。
【００３８】
＜実施例＞
【００３９】
＜実験Ａ１＞
板状のオウバクエキス０．６ｇを、水３ｇ（オウバクエキスの濃度１６％）で溶き、接着剤をつくった。
【００４０】
＜実験Ａ２〜Ａ５＞
表１に記載したこと以外は、実験Ａ１と同様にして、接着剤をつくった。
【００４１】
【表１】
2020163064.tif 000003
【００４２】
（評価）
得られた接着剤について、次の評価を行った。
【００４３】
（接着試験）
表１に記載の対象物（厚紙、段ボール、木、布、ガラス、及びシリコン（シリコーン樹脂）。以下同じ。）を２つ用意し、得られた接着剤を一方の対象物に塗布し、もう片方の対象物に対して押し当てた。１０秒経過後、一方の対象物をもって、もう片方の対象物を下に向けたまま１０秒間静置した。同じ条件のサンプル（３つ）に対し、それぞれ評価を行った。
評価基準は以下の通りである。
○：他方の対象物が落下しなかった。
△：他方の対象物が落下しなかったが、一部が剥がれていた。
×：他方の対象物が落下した。
【００４４】
（剥離試験）
表１に記載の対象物（厚紙、段ボール、木、布、ガラス、シリコン。以下同様）を２つ用意し、得られた接着剤を一方の対象物に塗布し、もう片方の対象物に対して押し当てた。その後、１２時間経過後、一方の対象物を、もう片方の対象物から剥がす方向に引っ張った。同じ条件のサンプル（３つ）に対し、それぞれ評価を行った。
評価基準は以下の通りである。
１：凝集破壊がおきた。
２：界面破壊がおきた。
３：基材破壊がおきた。
【００４５】
＜実験Ｂ１〜Ｂ６＞
フライパンにアルミホイルを敷いて、その上に板状のオウバクエキスを載置した。その後、ＩＨ調理器を用いてフライパンを加熱した。オウバクエキスの温度を測定しながら、オウバクエキスを表２に記載の温度まで加熱した。温度測定には、赤外温度計を用いてオウバクエキスの表面温度を測定した。
【００４６】
【表２】
2020163064.tif 000004
【００４７】
（評価）
得られたオウバクエキスについて、次の評価を行った。
【００４８】
（接着試験）  
表２に記載の対象物を２つ用いて、表２に記載の温度のオウバクエキスを挟んだ。３０秒経過後、一方の対象物をもって、もう片方の対象物を下に向けたまま１０秒間静置した。同じ条件のサンプル（３つ）に対し、それぞれ評価を行った。
評価基準は以下の通りである。
○：他方の対象物が落下しなかった。
△：他方の対象物が落下しなかったが、一部が剥がれていた。
×：他方の対象物が落下した。
【００４９】
（剥離試験）
表２に記載の対象物を２つ用いて、表２に記載の温度のオウバクエキスを挟んだ。その後、一方の対象物を持ち、もう片方の対象物から剥がす方向に引っ張った。同じ条件のサンプル（３つ）に対し、それぞれ評価を行った。
評価基準は以下の通りである。
１：凝集破壊がおきた。
２：界面破壊がおきた。
３：基材破壊がおきた。
【００５０】
（冷却試験）
表２に記載の対象物を２つ用いて、表２に記載の温度のオウバクエキスを挟んだ。オウバクエキスの温度が室温になるまで約２時間放置した後、一方の対象物をもって、もう片方の対象物を下に向けたまま１０秒間静置した。同じ条件のサンプル（３つ）に対し、それぞれ評価を行った。
評価基準は以下の通りである。
○：他方の対象物が落下しなかった。
△：他方の対象物が落下しなかったが、一部が剥がれていた。
×：他方の対象物が落下した。
【００５１】
＜実験Ｃ１〜Ｃ５＞
板状のオウバクエキスを、表３の処方を用いて湿らせた。
【００５２】
【表３】
2020163064.tif 000005
【００５３】
（評価）
得られたオウバクエキスについて、次の評価を行った。
【００５４】
（接着試験）
表３に記載の対象物を２つ用いて、表３の処方により湿ったオウバクエキスを挟んだ。３０分経過後、一方の対象物をもって、もう片方の対象物を下に向けたまま１０秒間静置した。同じ条件のサンプル（３つ）に対し、それぞれ評価を行った。
評価基準は以下の通りである。
○：他方の対象物が落下しなかった。
△：他方の対象物が落下しなかったが、一部が剥がれていた。
×：他方の対象物が落下した。
【００５５】
（剥離試験）
表３に記載の対象物を２つ用いて、表３の処方により湿ったオウバクエキスを挟んだ。その後、一方の対象物を持って、もう片方の対象物から剥がす方向に引っ張った。同じ条件のサンプル（３つ）に対し、それぞれ評価を行った。
評価基準は以下の通りである。
１：凝集破壊がおきた。
２：界面破壊がおきた。
３：基材破壊がおきた。
【００５６】
（乾燥試験）
表３に記載の対象物を２つ用いて、表３の処方により湿ったオウバクエキスを挟んだ。オウバクエキスが乾くまで２時間放置した。その後、一方の対象物をもって、もう片方の対象物を下に向けたまま１０秒間静置した。同じ条件のサンプル（３つ）に対し、それぞれ評価を行った。
評価基準は以下の通りである。
○：他方の対象物が落下しなかった。
△：他方の対象物が落下しなかったが、一部が剥がれていた。
×：他方の対象物が落下した。
【００５７】
尚、本発明は、上記した実施の形態に限定されるものではなく、本発明の要旨を逸脱しない範囲内において種々変更を加え得ることは勿論である。
【符号の説明】
【００５８】
２     お灸セット
１０   台座灸
１１   支持筒
１１Ｘ 中空部
１２   台座
１２Ｘ 孔
１３   接着層
１４   台座シート
２０   灸座
２０Ｘ 中空部
２１   載置面
２２   接触面
２２Ｔ 突起
【図１】
2020163064.tif 000006
【図２】
2020163064.tif 000007
【図３】
2020163064.tif 000008
【図４】
2020163064.tif 000009
【図５】
2020163064.tif 000010
【図６】
2020163064.tif 000011